(57)【要約】【課題】浴室及び洗面脱衣室とは別に、様々な用途に用いることができる機能的空間を提供する。【解決手段】防水加工された防水室１１は、浴室１０と洗面脱衣室１２とに隣接して設けられる。防水室は、浴室及び洗面脱衣室に連通する連通口を具備すると共に、これら浴室及び洗面脱衣室以外の空間に連通する連通口を具備し、これら連通口には防水状態で連通口を閉鎖可能な開閉扉２６〜２９が設けられる。防水室には防水室内を乾燥させる乾燥機３２が設けられる。このように構成された防水室は、機能的空間として様々な用途に用いることができる。【選択図】図１
2010084434.tif 000002
【特許請求の範囲】
【請求項１】
浴室と洗面脱衣室とに隣接して設けられると共に、防水加工された防水室において、
浴室及び洗面脱衣室に連通する連通口を具備すると共に、これら浴室及び洗面脱衣室以外の空間に連通する連通口を具備し、これら連通口には防水状態で連通口を閉鎖可能な開閉扉が設けられ、
当該防水室には防水室内を乾燥させる乾燥機が設けられる、防水室。
【請求項２】
上記乾燥機は、防水室内を強制的に換気させる換気機能を有する、請求項１に記載の防水室。
【請求項３】
上記乾燥機は、防水室内を昇温させる暖房機能を有する、請求項１又は２に記載の防水室。
【請求項４】
当該防水室には、防水室内にミストを供給するミスト発生装置が設けられる、請求項１〜３のいずれか１項に記載の防水室。
【請求項５】
上記浴室及び洗面脱衣室以外の空間が、バルコニー及びキッチンの少なくともいずれか一方である、請求項１〜４のいずれか１項に記載の防水室。
【請求項６】
当該防水室内に給水用のシャワーまたは蛇口が設けられる、請求項１〜５のいずれか１項に記載の防水室。
【請求項７】
請求項１〜６のいずれか１項に記載の防水室と浴室とを備える部屋構成において、
上記浴室には、該浴室内を乾燥させる浴室乾燥機及び該浴室内にミストを供給する浴室ミスト発生装置が設けられる、部屋構成。
【発明の詳細な説明】
【技術分野】
【０００１】
本発明は、防水加工された防水室、及び防水室と浴室とを備える部屋構成に関する。
【背景技術】
【０００２】
従来、住宅における浴室周りの構成としては、浴槽及び洗い場で構成された浴室と、この浴室に隣接して洗面脱衣室を設けるのが標準的である。浴室と洗面脱衣室との間には連通口が設けられると共に、この連通口には浴室内から洗面脱衣室内へ水分が漏れ出すことのないように防水状態で連通口を開閉可能な開閉扉が設けられる。
【０００３】
また、近年、新たな入浴スタイルとしてミストサウナ浴が注目されている。しかしながら、従来の浴室及び洗面脱衣室では、浴室内から洗面脱衣室内へ水分が漏れ出すことのないように開閉扉の扉枠等は密閉されているが、この開閉扉を閉鎖した場合であっても浴室内の換気扇を稼動させた際に洗面脱衣室内から浴室内へと空気が流入するように、空気取入れ口が設けられている。このため、浴室でミストサウナを行うと、この空気取入れ口を介して浴室内のミストが洗面脱衣室内に流れ込んでしまうという不都合が生じてしまう。そこで、これを回避する技術として、浴室空間を、開閉扉を有する隔壁により、浴槽等を備える主浴室と、脱衣室と隣接する小空間のサブ浴室とに仕切る技術が提案されている（例えば、特許文献１）。
【０００４】
さらに、浴室空間（ユニットバス）を主浴室とサブ浴室とに区画する代わりに、ユニットバスを、浴室と脱衣室とに区画すると共に、浴室には浴室暖房乾燥機及びミスト親機を設け、脱衣室にはミスト子機を設けたミストサウナシステムが提案されている（例えば、特許文献２）。このミストサウナシステムによれば、サブ浴室を設けずに浴室に隣接する形で脱衣室が設けられていることから、限られた居住空間を効率的に利用することができると共に、浴室及び脱衣室の双方にミスト装置が設けられていることから、様々な形態でミストサウナを用いることができる。
【０００５】
【特許文献１】特開２００３−１０５９８４号公報
【特許文献２】特開２００８−１２８５３７号公報
【特許文献３】特開平９−２２８５２７号公報
【発明の開示】
【発明が解決しようとする課題】
【０００６】
ところで、上記特許文献１に記載のサブ浴室は、基本的に主浴室内でミストを用いた場合に洗面脱衣室内に直接ミストが流入するのを防止する目的で、ミストの緩衝室として設けられており、サブ浴室内を乾燥させる乾燥機等は設けられていない。したがって、サブ浴室は、例えば、サブ浴室内に積極的にミストを供給する機能やサブ浴室内を乾燥させる乾燥機能は備わっておらず、よってサブ浴室を機能的空間として用いることはできない。
【０００７】
また、上記特許文献２に記載の脱衣室ではミスト装置が設けられていることから、脱衣室を機能的空間として用いることはできる。しかしながら、脱衣室そのものにミスト装置が設けられていることから、衣類や洗面器具にまでミストがかかってしまう可能性がある。
【０００８】
さらに、上記特許文献１のサブ浴室及び特許文献２の脱衣室共に、浴槽を備える浴室に通じる連通口以外に外部との連通口は一つしか設けられておらず、この連通口は一般に住宅内の廊下等に連通している。したがって、これらサブ浴室又は脱衣室内にある物をバルコニー、キッチンや住宅外の空間に運び出したり、逆にバルコニー、キッチンや住宅外の空間内にある物をこれらサブ浴室又は脱衣室内に運び込んだりする場合には、住宅内の廊下等を介さなければならないばかりか、サブ浴室又は脱衣室とバルコニー、キッチン又は住宅外の空間とを一体的な空間として用いることもできない。
【０００９】
そこで、本発明の目的は、浴室及び洗面脱衣室とは別に、様々な用途に用いることができる機能的空間を提供することにある。
【課題を解決するための手段】
【００１０】
上記課題を解決するために、第１の発明では、浴室と洗面脱衣室とに隣接して設けられると共に、防水加工された防水室において、浴室及び洗面脱衣室に連通する連通口を具備すると共に、これら浴室及び洗面脱衣室以外の空間に連通する連通口を具備し、これら連通口には防水状態で連通口を閉鎖可能な開閉扉が設けられ、当該防水室には防水室内を乾燥させる乾燥機が設けられる。
第１の発明によれば、防水室内を乾燥させる乾燥機能が備わっており、よって防水室を機能的空間として用いることができる。また、浴室及び洗面脱衣室以外の空間、例えば、バルコニーやキッチン、住宅外の空間等に通じる連通口が設けられているため、防水室とバルコニーやキッチン、住宅外の空間等との間で容易に持ち運びが可能になると共に、防水室とバルコニーやキッチン、住宅外の空間等とを一体的な一つの空間として用いることができる。
【００１１】
第２の発明では、第１の発明において、上記乾燥機は、防水室内を強制的に換気させる換気機能を有する。
【００１２】
第３の発明では、第１又は第２の発明において、上記乾燥機は、防水室内を昇温させる暖房機能を有する。
【００１３】
第４の発明では、第１〜第３のいずれか一つの発明において、当該防水室には、防水室内にミストを供給するミスト発生装置が設けられる。
【００１４】
第５の発明では、第１〜第４のいずれか一つの発明において、上記浴室及び洗面脱衣室以外の空間が、バルコニー及びキッチンの少なくともいずれか一方である。
【００１５】
第６の発明では、第１〜第５のいずれか一つの発明において、当該防水室内に給水用のシャワーまたは蛇口が設けられる。
【００１６】
第７の発明では、第１〜第６のいずれか一つの防水室と浴室とを備える部屋構成において、上記浴室には、該浴室内を乾燥させる浴室乾燥機及び該浴室内にミストを供給する浴室ミスト発生装置が設けられる。
【発明の効果】
【００１７】
本発明によれば、浴室及び洗面脱衣室とは別に、様々な用途に用いることができる機能的空間として、防水室が提供される。
【発明を実施するための最良の形態】
【００１８】
以下、図面を参照して本発明の実施形態について詳細に説明する。なお、以下の説明では、同様な構成要素には同一の参照番号を付す。
【００１９】
図１は、本発明の防水室、及び部屋構成を備える集合住宅の一住戸の部分的な間取図である。図１に示したように、住宅１は、浴槽１０ａ及び洗い場１０ｂを備える浴室１０と、浴室に隣接された防水室１１と、これら浴室１０及び防水室１１に隣接した洗面脱衣室１２とを備える。住宅１は、さらに、料理用のコンロやシンク等を備えるキッチン１３、一定以上の広さを有するリビングダイニングルーム１４、便器を備えるトイレ１５、洋室１６、及び外壁に囲われた居住空間の外部に位置するバルコニー１７を備える。図中の１８は、浴室１０に隣接して設けられた洋室（図示せず）に面するウォークインクローゼットである。
【００２０】
図１に示したように、住宅１では、キッチン１３とリビングダイニングルーム１４とは互いに隣接して配置される。キッチン１３は、リビングダイニングルーム１４に対して防水室１１に隣接する側に配置される。リビングダイニングルーム１４に隣接して、玄関（図示せず）等に連通する廊下１９が配置されると共に、この廊下１９に面してトイレ１５、洋室１６及び洗面脱衣室１２が配置される。洗面脱衣室１２の廊下側とは反対側に防水室１１及び浴室１０が配置される。
【００２１】
リビングダイニングルーム１４は、開閉扉２０を介してバルコニー１７にも連通している。また、リビングダイニングルーム１４は開閉扉２１を介して廊下１９と連通しており、廊下１９はそれぞれ開閉扉２２、２３、２４を介してトイレ１５、洋室１６及び洗面脱衣室１２に連通している。また、洗面脱衣室１２は、それぞれ開閉扉２５、２６を介して浴室１０及び防水室１１に連通している。さらに、防水室１１は、それぞれ開閉扉２７、２８、２９を介して浴室１０、キッチン１３、バルコニー１７に連通している。なお、開閉扉２０〜２９は、引き戸、開き戸、折戸等、一般的に住宅に用いられる扉であれば、如何なる扉を用いてもよい。
【００２２】
なお、図示した実施形態では、防水室１１は、洗面脱衣室１２、キッチン１３、バルコニー１７と連通しているが、キッチン、洗面脱衣室以外の室内空間（例えば、廊下、部屋、玄関等）と連通していてもよいし、或いはバルコニー以外の室外空間（例えば、集合住宅であれば共用廊下、戸建て住宅であれば、庭、駐車場等）と連通していてもよい。この場合、防水室と室内空間又は室外空間との間には開閉扉が設けられる。
【００２３】
ところで、図１に示したような集合住宅の場合、必ずしも全ての住人が同様な間取りを望んでいるとは限らず、したがって同一の広さを有する住宅であっても住人の家族構成や趣味等に応じて最適な間取りは異なってくる。このため、集合住宅の設計、建設にあたっては、住人の要望に応じることのできるように設計自由度が高いことが必要となる。
【００２４】
そこで、本実施形態では、図１に示した住宅１の浴室、防水室、洗面脱衣室及びウォークインクローゼットが配置されている空間を、図２に示したように四つの空間Ａ〜Ｄに分け、浴室、防水室、洗面脱衣室、ウォークインクローゼット、収納、納戸等を各空間の大きさと同一、或いは０．５倍、１．５倍、２倍の床面積のユニットとすることとしている。図１に示した例では、浴室１０及び防水室１１として各空間Ａ〜Ｄと同じ大きさのユニットが用いられ、洗面脱衣室１２として各空間Ａ〜Ｄの１．５倍の大きさのユニット、ウォークインクローゼット１８として各空間Ａ〜Ｄの０．５倍の大きさのユニットが用いられている。
【００２５】
図３は、図１と同様な間取図であり、図１に示した住宅１の間取りとは、浴室、防水室、洗面脱衣室の配置が異なっている。図３に示した例では、浴室１０’及び洗面脱衣室１２’として各空間Ａ〜Ｄと同じ大きさのユニットが用いられ、防水室１１’として各空間Ａ〜Ｄの２倍の大きさのユニットが用いられている。なお、各空間Ａ〜Ｄの床面積は、例えば、１．６ｍ×１．６ｍ、１．６ｍ×２．０ｍ又は２．０ｍ×２．０ｍとされる。
【００２６】
このように、図２中の空間Ｍを四つに分けて、浴室、防水室、洗面脱衣室等を各空間Ａ〜Ｄの大きさに合わせたユニットとすることで、この空間Ｍ内において高い自由度で部屋の配置を行うことができる。これにより、住人の要望に応じた部屋の配置が可能となる。また、浴室、防水室、洗面脱衣室等については特定のサイズのもののみを設計、建設すれば良いため、集合住宅において住戸毎に部屋の配置が異なる場合であっても、設計及び建設における負担は小さい。すなわち、本実施形態によれば、設計及び建設における負担を小さく維持しつつ、住人の要望に応じて高い設計自由度で部屋の配置を選択することができる。
【００２７】
図４は、図１のラインＸ−Ｘから見た断面側面図である。図４では、図面を簡単にするために、浴室１０及び防水室１１のみが示されている。図４に示した例では、浴室１０と防水室１１とは一体的構成として、すなわち一つのユニットとして示されているが、これら浴室１０と防水室１１とは必ずしも一体的構成である必要はなく、互いに独立した構成を有していてもよい。
【００２８】
図４に示したように、浴室１０の天井部には、ミスト発生機能付き浴室暖房乾燥機（以下、「浴室暖房乾燥機」という）３０が設けられている。浴室暖房乾燥機３０には、浴室暖房乾燥機３０内に給水を行うための給水配管（図示せず）が接続されていると共に、浴室暖房乾燥機３０を外気と連通させる換気通路３１が接続されている。
【００２９】
浴室暖房乾燥機３０は、電気又はガスによる加熱を行うヒータユニットを有しており、浴室１０内の暖房、すなわち浴室１０内の昇温を行うことができる。また、浴室暖房乾燥機３０は、換気装置を有しており、これにより外気を浴室１０内に取り込んだり、浴室１０内の空気を住宅外部へと放出したりすること、すなわち浴室１０内を強制的に換気することができる。さらに、浴室暖房乾燥機３０は、これら浴室１０内の暖房を行う機能と浴室１０内の換気を行う機能とを組み合わせることにより、或いは別の方式により、浴室１０内の乾燥を行うこともできる。
【００３０】
加えて、ミスト発生機能付き浴室暖房乾燥機３０は、ミスト発生装置を備えており、浴室１０内にミストを供給することができる。特に、本実施形態では、給水配管を介して浴室暖房乾燥機３０に送られた冷水を浴室１０内に噴霧するだけでなく、浴室暖房乾燥機３０に送られた冷水を加熱・昇温して温水にし、この温水を浴室１０内に噴霧することができる。すなわち、本実施形態では、浴室暖房乾燥機３０は、温水ミスト及び冷水ミストの両方を発生させることができる。
【００３１】
また、防水室１１の天井部には、ミスト発生機能付き防水室暖房乾燥機（以下、「防水室暖房乾燥機」という）３２が設けられており、この防水室暖房乾燥機３２には、防水室暖房乾燥機３２内に給水を行うための給水配管（図示せず）及び防水室暖房乾燥機３２を外気と連通させる換気通路３３が接続されている。
【００３２】
防水室暖房乾燥機３２は、浴室暖房乾燥機３０と同様な機能を有しており、防水室１１の暖房、換気、乾燥を行うことができる。また、防水室暖房乾燥機３２は、防水室１１内に温水ミスト及び冷水ミストの両方を供給することができる。
【００３３】
なお、ミスト発生装置付き暖房乾燥機３０、３２は、浴室１０及び防水室１１に別個に設けられているが、一つのミスト発生装置付き暖房乾燥機により浴室１０及び防水室１１の暖房、乾燥、換気及びミスト供給が行われるようにしてもよい。また、ミスト発生装置付き暖房乾燥機３０、３２は、必ずしも暖房、乾燥、換気及びミスト供給の全ての機能を有している必要はなく、これらのうちの少なくとも一つの機能が備わっていればよい。さらに、上記実施形態では、ミスト発生装置付き暖房乾燥機３０、３２は、共に浴室１０及び防水室１１の天井部に設けられているが、必ずしも天井部に設けられている必要はなく、浴室１０及び防水室１１の側壁に設けられていてもよい。
【００３４】
また、浴室１０には防水加工がなされている。したがって、浴室１０を画成する床１０ｃ、側壁１０ｄ及び天井１０ｅは、水分の浸透することのない耐水性材料、例えば樹脂、ガラス等で形成される。また、浴室１０への連通口に設けられた開閉扉２５、２７も耐水性材料で形成される。さらに、浴室１０の側壁１０ｄと開閉扉２５、２７とは、これら開閉扉２５、２７が閉じられたときに密封されるようにシール部材が設けられている。このため、開閉扉２５、２７が閉じられたときには、側壁１０ｄと開閉扉２５、２７との間の隙間から浴室内の水分が漏れ出すことはない。
【００３５】
ただし、浴室１０は、完全に密封されているわけではなく、例えば、浴室暖房乾燥機３０により換気が行われているときに、浴室１０内へ空気が流入するように通気孔等が設けられている。この通気孔は、浴室１０の側壁や天井等に設けられていてもよいし、開閉扉２５、２７に設けられていてもよい。
【００３６】
同様に、防水室１１にも防水加工がなされている。したがって、防水室１１を画成する床１１ｃ、側壁１１ｄ及び天井１１ｅ並びに防水室１１への連通口に設けられた開閉扉２６、２７、２８、２９は、耐水性材料で形成される。さらに、防水室１１の側壁１１ｄと開閉扉２６、２７、２８、２９とは、側壁１１ｄと開閉扉２６、２７、２８、２９との間の隙間から防水室１１内の水分が漏れ出すことのないように、これら開閉扉２６、２７、２８、２９が閉じられたときに密封されるようにシール部材が設けられている。
【００３７】
ただし、防水室１１も、完全に密封されているわけではなく、例えば、防水室暖房乾燥機３２により換気等が行われているときに、浴室１０内へ空気が流入するように通気孔等が設けられている。この通気孔は、防水室１１の側壁や天井等に設けられてもよいし、開閉扉２６、２７、２８、２９に設けられてもよい。
【００３８】
防水室１１には冷水及び温水を供給可能なシャワー３５及び蛇口３６が設けられており、防水室１１内に冷水及び温水を供給することができる。シャワー３５及び蛇口３６を介して供給された冷水又は温水は、防水室１１の床に配置された排水孔（図示せず）から排出される。同様に、浴室１０にも冷水及び温水を供給可能なシャワー３７及び蛇口３８が設けられ、シャワー３７及び蛇口３８を介して供給された冷水又は温水は、浴室１０の床に配置された排水孔（図示せず）から排出される。
【００３９】
上述したように、防水加工が施された防水室１１は、浴室１０及び洗面脱衣室１２に隣接して設けられ、また、キッチン１３やバルコニー１７等に連通せしめられる。さらに、防水室１１には、防水室１１内の暖房、換気、乾燥及びミスト供給を行うことができるミスト発生装置付き防水室暖房乾燥機３２が設けられる。このように構成された防水室１１を設けることで、防水室１１は様々な用途に用いることが可能になる。
【００４０】
例えば、防水室暖房乾燥機３２が設けられていることから、防水室３２内で洗濯物を干すことができる。浴室暖房乾燥機３０が設けられている場合であっても、入浴中や、浴室１０の浴槽内に温水が満たされている状態では、浴室１０内で洗濯物を干すことができないが、防水室１１であればそのような状態であっても洗濯物を干すことができる。また、バルコニーと連通していることから、バルコニーに洗濯物を干している間に降雨があった場合にも、容易に防水室１１内に洗濯物を移すことができる。
【００４１】
また、防水室１１がキッチン１３に連通していることから、防水室１１とキッチン１３との間の開閉扉２８を開放することによって、防水室１１とキッチン１３とを一体的な広い調理空間として用いることができる。特に、防水室１１は、部屋自体の洗浄が容易であるため、そば打ち等、粉が飛び散るような作業を行っても、その後の清掃を容易に行うことができる。
【００４２】
また、防水室１１にはミスト発生機能付き防水室暖房乾燥機３２が設けられていることから、防水室１１内に温水ミストを供給しつつ防水室１１内で運動やヨガ等を行うことができる。また、防水室１１内には高温多湿空間を作り出すことも可能であるため、熱帯植物の栽培を行うことも可能である。特に、防水室１１がバルコニー１７と連通していることから、外気温や天候に応じて植物を防水室１１とバルコニー１７との間で容易に移動させることができる。さらに、浴室１０と防水室１１との間の隔壁をガラス張りにしておけば、防水室１１内の乳児を確認しつつ親が入浴することも可能である。
【００４３】
このように、防水室１１は様々な用途に用いることが可能であり、防水室１１を備えた住宅に居住する住人の生活のバリエーションを格段に広げることができる。
【００４４】
なお、上記実施形態では、集合住宅の一住戸において防水室１１を設けた例を示したが、必ずしも集合住宅に限定されるものではなく、戸建て住宅に防水室１１を設けてもよい。
【図面の簡単な説明】
【００４５】
【図１】本発明の防水室、及び部屋構成を備える集合住宅の一住戸の一部の間取図である。
【図２】住宅内の所定の空間を複数に分割して、浴室、防水室、洗面脱衣室等を各空間の大きさに合わせたユニットとすることを説明するための図である。
【図３】図１と同様な間取り図である。
【図４】図１のラインＸ−Ｘから見た概略的な断面側面図である。
【符号の説明】
【００４６】
１    住宅
１０    浴室
１１    防水室
１２    洗面脱衣室
１３    キッチン
１４    リビングダイニングルーム
１７    バルコニー
３０    浴室暖房乾燥機
３２    防水室暖房乾燥機
【図１】
2010084434.tif 000003
【図２】
2010084434.tif 000004
【図３】
2010084434.tif 000005
【図４】
2010084434.tif 000006